(57)【要約】【課題】レーザの温度低下時に、再学習処理を実施することなく光ディスクに記録することのできる光ディスク記録再生装置を提供する。【解決手段】ディスク記録媒体上にフォーカスするよう制御する第１のフォーカス制御手段３と、前記ディスク記録媒体上にフォーカスしないように制御する第２のフォーカス制御手段４と、前記ディスク記録媒体に情報を記録するための制御を行う第１のレーザ制御手段７と、レーザ５の温度を上昇させるための制御を行う第２のレーザ制御手段８と、前記レーザ５の温度を測定する温度センサ９とを備え、前記温度センサ９の出力により前記レーザ５の温度の低下が検出された場合、前記第２のフォーカス制御手段４、および、前記第２のレーザ制御手段８へ切り替えることにより、前記レーザ５の温度を学習処理実施時の温度まで上昇させて再学習処理を不要とすることができる。【選択図】図１
2009104744.tif 000002
【特許請求の範囲】
【請求項１】
ディスク記録媒体にレーザ光を照射するレーザと、
前記レーザより照射されたレーザ光を集光するレンズと、
前記レンズを駆動するレンズ駆動手段と、
前記レーザを駆動するレーザ駆動手段と、
前記レンズ駆動手段を用いて前記ディスク記録媒体上にフォーカスするよう制御する第１のフォーカス制御手段と、
前記レンズ駆動手段を用いて前記ディスク記録媒体上にフォーカスしないように制御する第２のフォーカス制御手段と、
前記レーザ駆動手段を用いて前記ディスク記録媒体に情報を記録するための制御を行う第１のレーザ制御手段と、
前記レーザ駆動手段を用いて前記レーザの温度を上昇させるための制御を行う第２のレーザ制御手段と、
前記レーザの温度を測定する温度センサと、
前記ディスク記録媒体に記録再生する際に全体の動きを制御するコントローラーを備え、
前記コントローラーは、前記第１のレーザ制御手段の所定の制御値を得る為の学習処理動を行い、
前記学習処理動作実行時の温度と前記温度センサの出力との比較の結果、前記第１のフォーカス制御手段と前記第２のフォーカス制御手段の切り替えおよび、
前記第１のレーザ制御手段と前記第２のレーザ制御手段を切り替えを行うことを特徴とした光ディスク記録再生装置。
【発明の詳細な説明】
【技術分野】
【０００１】
本発明は、光ディスク記録再生装置に関するものである。
【背景技術】
【０００２】
従来の、光ディスク装置は、記録を中断後、一定以上の温度変化が生じた後、記録を再開する場合に、レーザの出力パワーの変動を補償するため、学習領域と呼ばれる光ディスク上の特定領域にレーザの出力条件を変えつつ記録と再生を行い、再生信号のデータエラー率が適正となる条件を見出すといった、所謂学習処理動作を行っている（例えば、特許文献１参照。）。
【特許文献１】特開２００６−１７９１３７号公報
【発明の開示】
【発明が解決しようとする課題】
【０００３】
しかしながら、前記従来の構成では、温度変化が生じた場合に、学習領域への記録を実施するため、学習領域が消費されるという課題を有していた。
【０００４】
本発明は、前記従来の課題を解決するもので、学習領域を消費することなく、適正なレーザの出力条件を得る光ディスク記録再生装置を提供することを目的とする。
【課題を解決するための手段】
【０００５】
前記従来の課題を解決するために、本発明の光ディスク記録再生装置は、ディスク記録媒体にレーザ光を照射するレーザと、前記レーザより照射されたレーザ光を集光するレンズと、前記レンズを駆動するレンズ駆動手段と、前記レーザを駆動するレーザ駆動手段と、前記レンズ駆動手段を用いて前記ディスク記録媒体上にフォーカスするよう制御する第１のフォーカス制御手段と、前記レンズ駆動手段を用いて前記ディスク記録媒体上にフォーカスしないように制御する第２のフォーカス制御手段と、前記レーザ駆動手段を用いて前記ディスク記録媒体に情報を記録するための制御を行う第１のレーザ制御手段と、
前記レーザ駆動手段を用いて前記レーザの温度を上昇させるための制御を行う第２のレーザ制御手段と、前記レーザの温度を測定する温度センサと、前記ディスク記録媒体に記録再生する際に全体の動きを制御するコントローラーを備え、前記コントローラーは、前記第１のレーザ制御手段の所定の制御値を得る為の学習処理動を行い、前記学習処理動作実行時の温度と前記温度センサの出力との比較の結果、前記第１のフォーカス制御手段と前記第２のフォーカス制御手段の切り替えおよび、前記第１のレーザ制御手段と前記第２のレーザ制御手段を切り替えを行うことを特徴としたものである。
【発明の効果】
【０００６】
本発明の光ディスク記録再生装置によれば、学習処理動作時からレーザの温度が低下した場合に、レーザの温度を学習処理動作時の温度まで上昇させることにより、学習領域を消費することなく、適正なレーザの出力条件を得ることができる。
【発明を実施するための最良の形態】
【０００７】
以下に、本発明の光ディスク記録再生装置の実施の形態を図面とともに詳細に説明する。
【０００８】
（実施の形態１）
図１は、本発明の第１の実施の形態における光ディスク記録再生装置のブロック図を示す。図２は、コントローラー１０７の処理の流れを示すフローチャートである。以下、図１と図２を用いて説明する。
【０００９】
図１において、コントローラー１０７は、スピンドルモータ制御手段１０６を用いてスピンドルモータ１０５を制御し、ディスク記録媒体１０１を所定の速度で回転するよう制御する。また、コントローラー１０７は、記録開始に先立って、少なくとも１回は、第１のフォーカス制御手段３、第１のレーザ制御手段７、レンズ駆動手段２、レーザ駆動手段６、レンズ１、レーザ５を用いて、ディスク記録媒体１０１上の学習領域と呼ばれる特定の領域にレーザ５の出力条件を変えつつ記録と再生を行い、再生信号のデータエラー率が適正となる条件を見出すといった、所謂学習処理動作を行い、結果をメモリ１０８に記録する。また、学習処理動作の実行時の温度を温度センサ９によって取得し、学習処理動作の結果と関連付けてメモリ１０８に記録する。
【００１０】
ディスク記録媒体１０１への記録が、ホストインターフェース１０９を通じて指示されると、コントローラー１０７は第１のフォーカス制御手段３、第１のレーザ制御手段７、レンズ駆動手段２、レーザ駆動手段６、レンズ１、レーザ５を用いて、記録を実施する。
【００１１】
連続して記録を行う場合、レーザ５の温度が上昇するため、レーザ５の出力パワーが変動し、学習処理動作によって得た第１のレーザ制御手段７の制御値では適正なレーザの出力条件を得ることができない。このため、例えば３２７６８セクタの記録が実行される毎に直前に記録したデータの一部を再生し、第１のレーザ制御手段７の制御値の補正処理を行う。補正処理による補正後の制御値、及び、補正処理実行時の温度によって、メモリ１０８に記憶している学習処理動作の結果を更新する。これにより、連続して記録を行う場合には、第一のレーザ制御手段７の制御値を適切な値に保つことが可能である。
【００１２】
ホストインターフェース１０９からの記録要求を全て処理すると、記録は中断状態になる。
【００１３】
記録中断後、ホストインターフェース１０９からの指示を受け、記録を再開する場合、温度センサ９を用いてレーザ５の温度を測定する。コントローラー１０７は、温度センサ９の出力からメモリ１０８に記憶されている直前の学習処理、または、補正処理実施時の温度を引き、温度差を計算する（Ｓ２０１）。
【００１４】
温度差の正負判定を行い（Ｓ２０２）、負の場合、温度差の絶対値が予め算出した加温限界よりも小であるか判定する（Ｓ２０３）。ただし、加温限界は第２のフォーカス制御手段４と第２のレーザ制御手段８を用いてレーザ５の温度を上昇させるときに、上昇させることができる温度差をもとに事前に決定する閾値である。
【００１５】
温度差の絶対値が加温限界よりも小である場合、第２のフォーカス制御手段４と第２のレーザ制御手段８に切り替える（Ｓ２０６）。第２のフォーカス制御手段４は、レンズ駆動手段２を用いてデフォーカス状態を作り、レーザ５が点灯した場合でもディスク記録媒体１０１に影響がでない状態に制御し、第２のレーザ制御手段８は、レーザ５の温度が適切に上昇するようにレーザ駆動手段６を制御するため、ディスク記録媒体１０１に影響を与えることなく、レーザ５の温度を上げることができる。レーザ５の温度を確認するため、再度Ｓ２０１から実行する。
【００１６】
加温限界よりも温度差の絶対値が小でない場合、第１のフォーカス制御手段３、第１のレーザ制御手段７に切り替え（Ｓ２０４）、ディスク記録媒体１０１上の学習領域で再度学習処理を実施する。
【００１７】
温度差が零以上であった場合、第１のフォーカス制御手段３、第１のレーザ制御手段７に切り替える（Ｓ２０７）。温度差が予め決定した閾値を超える場合、ディスク記録媒体１０１上の学習領域で再度学習処理を実施する(Ｓ２０５)。
【００１８】
図３に本発明の実施の形態１における光ディスク記録再生装置において記録と休止を繰り返した際のレーザ５の温度変化の図を示す。図３は雰囲気温度２３．５℃において、図３中の時刻５秒の時点でレーザ５を点灯させ記録を開始し、時刻１９秒の時点でレーザ５を消灯し、時刻３１秒の時点でレーザ５を再び点灯した際のレーザ５の温度変化を示している。
【００１９】
図３中の時刻１９秒の時点からの前記レーザ５の温度変化より明らかなように、レーザ５は消灯後、４秒後には１０℃温度が低下している。一方、レーザ５の点灯後、４秒後には１０℃温度が上昇している。
【００２０】
このため、直前の学習処理、または、補正処理実施時の温度が３６℃であった場合、時刻１９秒で記録を一時中断し、時刻３１秒の時点で記録を再開するケースでは、時刻３１秒で第２のフォーカス制御手段４と第２のレーザ制御手段８によってレーザ５を点灯し、５秒後の時刻３６秒の時点で第１のフォーカス制御手段３と第１のレーザ制御手段７に切り替え、記録を再開する。
【００２１】
以上のように、実施の形態１においては、記録中断時のレーザ５の温度低下時に第２のフォーカス制御手段、及び、第２のレーザ制御手段を用いることにより、デフォーカス状態でレーザ５点灯させ、ディスク記録媒体１０１に影響を与えることなく、レーザ５の温度を記録学習実施時の温度まで上昇させることとなり、学習領域を消費することなく、第一のレーザ制御手段７の制御値を適切な状態にすることができる。
【産業上の利用可能性】
【００２２】
本発明にかかる光ディスク記録再生装置は、レーザの温度が低下した場合に、学習領域を消費することなく、適正なレーザの出力条件を得ることが必要な、光ディスクビデオカメラ等の用途にも適用できる。
【図面の簡単な説明】
【００２３】
【図１】本発明の実施の形態１における光ディスク記録再生装置のブロック図
【図２】図１のコントローラー１０７の動作を説明するためのフローチャート
【図３】本発明の実施の形態１における光ディスク記録再生装置において記録と休止を繰り返した際のレーザの温度変化の図
【符号の説明】
【００２４】
１  レンズ
２  レンズ駆動手段
３  第１のフォーカス制御手段
４  第２のフォーカス制御手段
５  レーザ
６  レーザ駆動手段
７  第１のレーザ制御手段
８  第２のレーザ制御手段
９  温度センサ
１０１  ディスク記録媒体
１０２  バス
１０３  光検出手段
１０４  信号処理手段
１０５  スピンドルモータ
１０６  スピンドルモータ制御手段
１０７  コントローラー
１０８  メモリ
１０９  ホストインターフェース
【図１】
2009104744.tif 000003
【図２】
2009104744.tif 000004
【図３】
2009104744.tif 000005